(57)【要約】      （修正有）【課題】ティーポットの内容積の大きさを生かし、注がれた湯によって大きく広がる茶葉等の抽出に利用でき、しかも抽出液への茶葉等の混入を防ぐことのできる、そのようなティーポット用の脱着可能な茶こしと、その茶こしに対応したティーポットの提供である。【解決手段】茶こしの装着部によってティーポットに固定し、バネ鋼の性質を用いたアーム４、密着性の高い柔軟な枠を備えた茶こし網５からなる茶こしを提供する。ティーポットにおいては装着部６設け、茶こし側装着部に対応させた。これによって、ティーポットの内容積の大きさを生かせる使い方が出来、且つ脱着の可能な茶こしを装着できる。同時に、ティーポットの形状に与えられた本来の機能を生かし、且つ茶こしの基本的な機能を損なうことなく、様々なサイズ・形状のティーポットに対応できる茶こしを提供できる。【選択図】図４
0003137649.tif 000002
【実用新案登録請求の範囲】
【請求項１】
ティーポット蓋受け部１０に形成された茶こし装着部６
【請求項２】
ティーポットにおける茶こし装着部６に対応した、茶こし側装着部１―２―３を持つ、脱着の可能な茶こし
【請求項３】
請求項１、請求項２、バネ鋼によるアーム４、及び密着性の高い、樹脂製枠をもつ茶こし網５からなる、ティーポットのサイズ及び形状に対応した、脱着の可能な茶こし
【考案の詳細な説明】
【技術分野】
【０００１】
近年、我が国で嗜好される茶は、緑茶、烏龍茶、工芸茶、花茶、フルーツ茶など多彩な品種に広がっている。これらは全て、乾燥状態のものに湯を注ぎ、茶を浸出させるものである。保存時には乾燥しているために、それら製品は壊れやすく、細かな状態になるものもある。これら細かくなった茶葉等は、茶の抽出時において抽出液に混入しやすく、その混入を防ぐため、茶こしが利用されている。こうした事情から、種々の茶こしが流通しているが、ティーポットに装着して使用できる茶こしは少ない。本考案は、ティーポットに茶こし装着部を設け、ティーポットに対して脱着可能であり、使用時においては、ティーポット本来の特性を生かすことの出来る、茶こしに関するものである。
【背景技術】
【０００２】
一般的なティーポットには、我が国伝統の急須のような、目の細かな茶こしを備えたものはほとんど見られない。図３Ａ−Ｂ線切断断面図のように、注ぎ口９に繋がる胴体部分に開口部を設けただけのもの、或いはそこに数個の穴を設けたものが一般的であり、このため、ティーポットから茶の抽出液を注ぐ時には、別に茶こしを用意し、その茶こしを通して注ぐことが行われている。
【０００３】
或いは、ティーポット用の茶こしとして、円筒形のポケット式茶こしが、ティーポットに付属して販売されている。これは、ティーポット蓋受け部１０の口径に合わせた円筒形で、底部や側面、或いはそれ全体に網を付け、茶こしとしたものである。このような茶こしは、使用後において茶葉の始末や茶こしの洗浄は容易だが、ティーポット自体のもつ内容積を十分に活用できるものではなく、また、茶葉等の量に関わらず、相当量の湯をティーポットに入れなければならない。
【考案の開示】
【考案が解決しようとする課題】
【０００４】
ティーポットの形状は一般に、胴部に膨らみのあるものが多い。これは、湯をティーポットに注ぎ入れた時、ティーポットの中で湯が勢い良く動くことを助長するために、そのような形状となっている。その効果は、ティーポット内の茶葉等が、注がれた湯の力で撹拌され、茶葉等の抽出を促進することにある。茶葉等がティーポット内で動き回る様子は、ジャンピングと称され、ティーポットの特性として、広く認知されているところである。
【０００５】
烏龍茶や工芸茶、花茶、フルーツ茶などを、その茶葉等から抽出して飲む場合、これらの茶は、自然のままの茶葉、花弁、フルーツ（スライスされたものが多い）を乾燥しているので、抽出によって、それら茶葉、花弁、フルーツが、ほとんど元の大きさに開くことになる。このため、この様な茶葉等に対して、ティーポットの内容積全体をもって茶葉等を開かせることができ、十分な抽出を行えるティーポットが求められている。
【０００６】
そこで本考案は、ティーポットの、この様な本来の特性を発揮させ、抽出液への茶葉等の混入を防ぐことができ、且つ脱着の容易なティーポット用茶こし、及びその茶こしの装着部を形成したティーポットを提供するものである。
【課題を解決するための手段】
【０００７】
以上の課題を解決するために、本考案は、図４Ｃ−Ｄ線切断断面図においては、蓋受け部１０において茶こし装着部６を形成し、図１茶こしにおいては、装着部６に固定する茶こし側部分1ー２ー3を設け、茶こし網５を、アーム４によって、ティーポット開口部８に押しつける。茶こし１ー２ー３ー４にはバネ鋼を用いた。茶こし網５では、その枠を反発力のある柔軟な樹脂製として、ティーポット開口部８への密着性を高めた。
【０００８】
ティーポットへの図１茶こしの脱着容易性については、例えば左手にてティーポットを保持し、装着用ツメ１と横部固定部３に指を添え、摘むように引き上げることで、図１茶こしをティーポットから外すことが可能である。また、茶こしを装着する場合は、その逆を行えば装着できる。
【０００９】
ティーポットには、一人用、二人用、四人用など、様々なサイズや形状がある。本考案においては、ティーポットのサイズに関わらず、茶こし装着部６は同一サイズ及び同一形状で形成できる。他方、ティーポットの深さ、胴部曲面に対応して、茶こしアーム４の長さ、茶こし網５の形状（円、楕円等）・サイズをそれぞれ変更し、ここに提供する茶こしの機能を損なわず対応することが可能である。
【００１０】
また、茶こし装着部６においては、ティーポットの蓋の口径よりも外側に広げ、且つ蓋おき部分は、その水平面から下げて形成することにより、蓋の浮きを防止することが出来る。
【００１１】
なお、ティーポットにおける茶こし装着部６の断面は、図５拡大図に見えるように「ト」のような形状であり、それに沿うように、図１茶こしにおけるティーポットへの固定部１−２−３を形成した。これによって、茶こしのティーポットへの装着は強固であり、アーム４はバネ鋼の効果を発揮でき、茶こし網５のティーポット胴部８への密着性を高めている。
【実施例】
【００１２】
図２は本考案の実施例であって、ティーポット内に入れられた茶葉等は、注がれた湯によってジャンピングし、全ての茶葉等が等しく即時に湯に触れることが出来る。抽出液の色は、ティーポット蓋７を開けることによって確かめることができる。
【００１３】
抽出液をカップ等に注ぐ際は、茶こしの装着は強固であるから、これにとらわれず、ティーポット蓋７を押さえるなどしながら抽出液を注ぐことが出来る。
【００１４】
アーム４は、茶こし網５をティーポット胴体に密着させる効果のみならず、抽出液を注ぐ過程においては、アーム４が茶葉等をそれによって留める効果があるので、茶こし網５が茶葉等で覆われて目詰まりをおこすことは少なく、抽出液をほとんど最後まで絞り出すことが出来る。
【００１５】
ティーポット使用後においては、茶こしを取り外し、茶葉等の後始末、茶こし及びティーポットそれぞれの洗浄が容易である。
【図面の簡単な説明】
【００１６】
【図１】ティーポット用脱着の可能な茶こし
【図２】脱着の可能な茶こしを装着したティーポットの実施例の平面図
【図３】図２におけるＡ―Ｂ線切断断面図。ただし、蓋７を省略した。
【図４】図２におけるＣ―Ｄ線切断断面図
【図５】図４における茶こし装着部拡大図
【符号の説明】
【００１７】
１装着用ツメ
２上部固定部
３横部固定部
４アーム
５樹脂製枠をもつ茶こし網
６茶こし装着部
７蓋
８注ぎ口開口部周辺
９注ぎ口
１０蓋受け部
【図１】
0003137649.tif 000003
【図２】
0003137649.tif 000004
【図３】
0003137649.tif 000005
【図４】
0003137649.tif 000006
【図５】
0003137649.tif 000007
【手続補正書】
【提出日】平成19年9月20日(2007.9.20)
【手続補正１】
【補正対象書類名】実用新案登録請求の範囲
【補正対象項目名】全文
【補正方法】変更
【補正の内容】
【実用新案登録請求の範囲】
【請求項１】
「レ」型に形成したバネ鋼製アーム（４a−４ｂ）において、アーム（４ｂ）にティーポット内面の曲面に沿ったカーブを与え、茶こし網の上端から下端まで差し渡すことによって、茶こし網全体をティーポット開口部（８）周辺に強く密着させることを特徴とした脱着の可能な茶こし。
【請求項２】
請求項１に記載の脱着可能な茶こしにおけるティーポットへの装着については、ティーポットにおいては、注ぎ口に繋がるポット胴体の開口部上方部、つまりポット取っ手の１８０度対向部の蓋受け部に装着部（６）を設けるのであるが、請求項１記載の茶こしアームの幅よりもやや広い部分に対して、茶こしアームの厚み分を蓋の口径よりも外側に広げ、且つ蓋おき部をその厚み分下げて形成し、蓋おき部外側は垂直に削る、つまりティーポット側の茶こし装着部は、その断面が「ト」のような形状となり、一方、茶こし側におけるティーポットへの装着部（１−２−３）は、ティーポット側装着部に倣うように形成するが、特に「ト」の右側及び上部突起部分を堅く噛むように形成し、上部の突起部外側部は、やや短くして爪を設け、取り外しの容易さを考慮した形状の装着部を設けたことを特徴とする、脱着の可能な茶こし及びそれと装着可能なティーポットとの組み合わせ。
【請求項３】
請求項１に記載の脱着可能な茶こしにおいて、樹脂製枠をもつ茶こし網（５）を有することを特徴とする脱着の可能な茶こし。
【手続補正３】
【補正対象書類名】明細書
【補正対象項目名】０００７
【補正方法】変更
【補正の内容】
【０００７】
以上の課題を解決するために、本考案は、図４Ｃ−Ｄ線切断断面図においては、蓋受け部１０において茶こし装着部６を形成し、図１茶こしにおいては、装着部６に固定する茶こし側部分1ー２ー3を設け、茶こし網５を、アーム４aー４ｂによって、ティーポット開口部８に押しつける。茶こし１ー２ー３ー４aー４ｂにはバネ鋼を用いた。茶こし網５では、その枠を樹脂製として、ティーポット開口部８への密着性を高めた。
【手続補正４】
【補正対象書類名】明細書
【補正対象項目名】０００９
【補正方法】変更
【補正の内容】
【０００９】
ティーポットには、一人用、二人用、四人用など、様々なサイズや形状がある。本考案においては、ティーポットのサイズに関わらず、茶こし装着部６は同一サイズ及び同一形状で形成できる。他方、ティーポットの深さ、胴部曲面に対応して、茶こしアーム４aー４ｂの長さ及び曲がりの形状、茶こし網５の形状（円、楕円等）・サイズをそれぞれ変更し、ここに提供する茶こしの機能を損なわず対応することが可能である。
【手続補正５】
【補正対象書類名】明細書
【補正対象項目名】００１１
【補正方法】変更
【補正の内容】
【００１１】
なお、ティーポットにおける茶こし装着部６の断面は、図５拡大図に見えるように「ト」のような形状であり、それに沿うように、図１茶こしにおけるティーポットへの固定部１−２−３を形成した。これによって、茶こしのティーポットへの装着は強固であり、アーム４a―４ｂはバネ鋼の効果を発揮でき、茶こし網５のティーポット胴部８への密着性を高めている。
【手続補正６】
【補正対象書類名】明細書
【補正対象項目名】００１４
【補正方法】変更
【補正の内容】
【００１４】
アーム４aは、茶こし網５をティーポット胴体に密着させる効果のみならず、抽出液を注ぐ過程においては、アーム４aが茶葉等をそれによって留める効果があるので、茶こし網５が茶葉等で覆われて目詰まりをおこすことは少なく、抽出液をほとんど最後まで絞り出すことが出来る。
【手続補正７】
【補正対象書類名】明細書
【補正対象項目名】００１７
【補正方法】変更
【補正の内容】
【００１７】
１装着用ツメ
２上部固定部
３横部固定部
４a―４ｂアーム
５樹脂製枠をもつ茶こし網
６茶こし装着部
７蓋
８注ぎ口開口部周辺
９注ぎ口
１０蓋受け部
【手続補正８】
【補正対象書類名】図面
【補正対象項目名】全図
【補正方法】変更
【補正の内容】
【図１】
0003137649.tif 000008
【図２】
0003137649.tif 000009
【図３】
0003137649.tif 000010
【図４】
0003137649.tif 000011
【図５】
0003137649.tif 000012